(57)【要約】    【課題】スイッチケースの構造に影響を及ぼさずに、他の部品と干渉しないスペアヒューズの保持部を設けることのできる電磁スイッチのカバーを提供する。    【解決手段】一対のケーブル（７ａ・７ｂ）の端末が接続された部分（ボルト８・圧着端子１０）同士間を仕切る仕切壁（１５）を当該カバー（１１）に一体形成すると共に、該仕切壁にスペアヒューズ（２０）の保持部（保持溝２１）を設けるものとする。【選択図】図１
2005302626.tif 000002
【特許請求の範囲】
【請求項１】
電磁スイッチの主にケーブル接続部を覆うカバーであって、
一対のケーブルの端末が接続された部分同士間を仕切る仕切壁を当該カバーに一体形成すると共に、該仕切壁にスペアヒューズの保持部を設けたことを特徴とする電磁スイッチのカバー。
【請求項２】
当該カバーは透明な合成樹脂材で形成されており、当該カバーの上壁内面に前記スペアヒューズの上面が対向していることを特徴とする請求項１に記載の電磁スイッチのカバー。
【発明の詳細な説明】
【技術分野】
【０００１】
本発明は、電磁スイッチのカバーに関し、特に車両用エンジンの始動回路に用いられる電磁スイッチの主にケーブル接続部を覆うカバーに関するものである。
【背景技術】
【０００２】
ソレノイド、ソレノイドとばねの作用によって往復動するプランジャ、及びプランジャの動きによって断続される接点などをスイッチケース内に組み込んだ形式の電磁スイッチが知られている。この種の電磁スイッチには、スタータモータやバッテリーからのケーブルの端末が接続された端子固定ターミナルや、ヒューズを差し込むヒューズホルダが設けられており、特に端子固定ターミナルを覆うための着脱可能なカバーを備えたものにおいては、スペアヒューズの保持部をカバーに設けたものも知られている（特許文献１を参照されたい）。
【特許文献１】実開昭６４−５５５３４号公報
【発明の開示】
【発明が解決しようとする課題】
【０００３】
しかるに、上記文献１に記載の従来のものは、カバーを装着した際にカバーの内側に保持されたスペアヒューズが干渉することのないようにするための逃げをスイッチケース側に設けており、スペアヒューズの保持部をカバーに設けるために、スイッチケースの構造にまで影響を及ぼしている。スペアヒューズの保持部を設けるためにスイッチケースの構造が制約を受けることは、電磁スイッチの設計上は好ましいことではない。
【課題を解決するための手段】
【０００４】
このような課題を解決し、スイッチケースの構造に影響を及ぼさずに、他の部品と干渉しないスペアヒューズの保持部を設けることのできる電磁スイッチのカバーを提供するため、本発明の請求項１は、一対のケーブル（７ａ・７ｂ）の端末が接続された部分（ボルト８・圧着端子１０）同士間を仕切る仕切壁（１５）を当該カバー（１１）に一体形成すると共に、該仕切壁にスペアヒューズ（２０）の保持部（保持溝２１）を設けたことを特徴とするものとした。
【０００５】
また本発明の請求項２は、当該カバーを透明な合成樹脂材で形成し、カバーの上壁（２３）内面にスペアヒューズの上面を対向させるものとした。
【発明の効果】
【０００６】
このような本発明の請求項１の構成によれば、カバーに保持されたスペアヒューズ自体が一対のケーブルの接続端子間を仕切る仕切壁の一部となるので、既存の電磁スイッチのレイアウトに影響を及ぼさずにスペアヒューズの保持部をカバー設けることができる。
【０００７】
また請求項２の構成によれば、スペアヒューズの有無をカバー外から確認することができ、しかもスペアヒューズの上面に刻印されているアンペア数をもカバーを外さずに確認し得るので、組込み忘れや誤組込みの防止が計れる。
【発明を実施するための最良の形態】
【０００８】
以下に添付の図面を参照して本発明について詳細に説明する。
【０００９】
図１は、本発明が適用された自動車のエンジン始動回路の断続に用いられる電磁スイッチを示している。この電磁スイッチ１は、ソレノイド、ソレノイドとばねの作用によって往復動するプランジャ、及びプランジャの動きによって断続される接点などをスイッチケース２の内部に組み込んだものであり、文献１に記載の従来形式のものと同等の構造を有しており、その内部構造についての詳細な説明は省略する。
【００１０】
スイッチケース２の上面には、制御線を接続するコネクタ３と、回路に接続されるヒューズ４を取り付けるヒューズ装着部５と、一対のケーブル接続ターミナル６ａ・６ｂとが設けられている。一対のケーブル接続ターミナル６ａ・６ｂには、スタータモータからのケーブル７ａ並びにバッテリーからのケーブル７ｂの圧着端子処理された各端末がそれぞれボルト８をもって固定してあり、一対のケーブル接続ターミナル６ａ・６ｂ間には、これらを仕切るリブ９が立設されている。
【００１１】
一対のケーブル７ａ・７ｂの各端末に固着された圧着端子１０には、ボルト締結部１０ａと、ケーブル端末圧着部１０ｂと、ケーブルの被覆結合部１０ｃとが一体形成されており、ボルト締結部１０ａと、ケーブル端末圧着部１０ｂおよびケーブル被覆結合部との間が略直角に曲折されており、ケーブル端末圧着部１０ｂおよびケーブル被覆結合部１０ｃがスイッチケース２の一側から突出し、両ケーブル７ａ・７ｂは下向きに延出されている。
【００１２】
この電磁スイッチ１のヒューズ装着部５およびケーブル接続ターミナル６ａ・６ｂの周囲は、略透明な絶縁性に富む合成樹脂材にて下向きに開放された箱形に形成された着脱自在なカバー１１にて覆われている。
【００１３】
カバー１１には、スイッチケース２の互いに反対側を向く一対の側面に形成された一対の突条１２に係止してカバー１１の位置決めを行うスリット１３と、一対のケーブル接続ターミナル６ａ・６ｂ間を仕切るようにスイッチケース２の上面に設けられたリブ９の上端縁を受容する溝１４と、一対の圧着端子１０のケーブル端末結合部１０ｂおよびケーブル被覆結合部１０ｃ同士間を仕切る仕切壁１５と、ヒューズ４及びヒューズ装着部５を覆うヒューズカバー１６とが一体形成されている。
【００１４】
ヒューズカバー１６の両側部には、スイッチケース２側に形成された一対の突起１７に係合する孔１８がその下端に設けられた揺動片１９が形成されており、これらの孔１８が、揺動片１９の材料自体の弾性によって突起１７に弾発係合することにより、スイッチケース２にカバー１１が固定されている。このカバー１１は、一対の揺動片１９の上端部を指先で把持して挟み付けることにより、揺動片１９の下端が拡開して突起１７との係合が解かれ、簡単に取り外すことができるようになっている。
【００１５】
仕切壁１５には、スペアヒューズ２０を保持する保持溝２１が形成されており、カバー１１を形成した材料自体の弾性により、軽圧入した状態でスペアヒューズ２０を保持溝２１内に保持することができるようにされている。この構成によれば、保持溝２１に保持されたスペアヒューズ２０自体が、一対の圧着端子１０のケーブル端末結合部１０ｂおよびケーブル被覆結合部１０ｃ同士間を仕切る仕切壁１５の一部となるので、既存の電磁スイッチのレイアウトに影響を及ぼさずにスペアヒューズ２０の保持部をカバー１１に設けることができる。なお、保持溝２１を形成した仕切壁１５の端縁部には、保持溝２１に対してスペアヒューズ２０を着脱する際にスペアヒューズ２０を指先で摘み易くするために、切欠部２２が設けられている。
【００１６】
スペアヒューズ２０は、回路に接続された実ヒューズ４と同様に、その頭部を上向きにして保持溝２１内に装着されており、その上面をカバー１１の上壁２３の内面に対向させている。従って、透明なカバー１１の外からその装着状態を確認することができると共に、頭部の上面に刻印されたアンペア数もカバー１１を外さずに容易に視認可能なようになっている。これにより、組込み忘れや誤組込みの防止を計っている。ここで一対の仕切壁１５で形成された保持溝２１の対向内面の下部には、図３に示すように、スペアヒューズ２０の電極部の厚さに対応してその隙間を狭くするための突条２４が形成されており（図２においては図示省略した）、これにより、スペアヒューズ２０を装着する際に、上下の方向性を誤ることのないようにされている。
【図面の簡単な説明】
【００１７】
【図１】本発明が適用された電磁スイッチ及びそのカバーの斜視図である。
【図２】装着したカバーを破断して示す電磁スイッチの側面図である。
【図３】スペアヒューズの保持溝の要部を示す図２中のＡ矢視図である。
【符号の説明】
【００１８】
１  電磁スイッチ
７ａ・７ｂ  ケーブル
８  ボルト
１０  圧着端子
１１  カバー
１５  仕切壁
２０  スペアヒューズ
２１  保持溝
２３  上壁
【図１】
2005302626.tif 000003
【図２】
2005302626.tif 000004
【図３】
2005302626.tif 000005